(57)【特許請求の範囲】
【請求項１】
ワイヤレス通信におけるフレキシブル複信を与えるための方法であって、前記方法は、ワイヤレス通信におけるフレキシブル複信を与えるための装置によって実行され、
セルとのアップリンク周波数帯域とダウンリンク周波数帯域とを分離するために、周波数分割複信（ＦＤＤ）を使用して前記セルと通信することと、
前記アップリンク周波数帯域上で時分割複信（ＴＤＤ）を実装するためのインジケータを前記セルから受信することと、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信することと、
前記複数のダウンリンクサブフレームのうちの少なくとも１つのダウンリンクサブフレーム中のアップリンク通信のための周波数部分上で制御データを送信することと、
を備える、方法。
【請求項２】
前記インジケータを受信することが、前記ダウンリンク周波数帯域上で前記セルによって送信された、物理レイヤ制御チャネル中のビットインジケータ、信号のメディアアクセスチャネル（ＭＡＣ）制御要素（ＣＥ）中の、または無線リソース制御（ＲＲＣ）信号中ののうちの少なくとも１つにおいて、前記セルから前記インジケータを受信することを備える、請求項１に記載の方法。
【請求項３】
前記アップリンク周波数帯域において前記セルに肯定応答（ＡＣＫ）／否定ＡＣＫ（ＮＡＣＫ）を送信するための前記複数のアップリンクサブフレームのうちの少なくとも１つを示す基準ＴＤＤ構成を前記セルから受信することをさらに備える、請求項１に記載の方法。
【請求項４】
前記基準ＴＤＤ構成を受信することが、システム情報ブロック（ＳＩＢ）において、または無線リソース制御（ＲＲＣ）シグナリングを介して前記基準ＴＤＤ構成を受信することを備える、請求項３に記載の方法。
【請求項５】
前記複数のダウンリンクサブフレームのうちの少なくとも１つの前記アップリンク通信のための周波数部分が、ガード帯域によってダウンリンク周波数部分から分離される、請求項１に記載の方法。
【請求項６】
前記ガード帯域に関係する１つまたは複数のパラメータを前記セルから受信することをさらに備える、請求項５に記載の方法。
【請求項７】
前記セルにチャネル状態情報（ＣＳＩ）フィードバックを送信するための前記複数のアップリンクサブフレームのうちの少なくとも１つを示す構成を前記セルから受信することをさらに備える、請求項１に記載の方法。
【請求項８】
前記セルにチャネル状態情報（ＣＳＩ）フィードバックを送信するための前記アップリンク周波数帯域における複数のサブフレームのうちの少なくとも１つを示す構成を前記セルから受信することと、
前記複数のサブフレームのうちの前記少なくとも１つが前記アップリンク周波数帯域における前記複数のダウンリンクサブフレームのうちの少なくとも１つである場合、前記ＣＳＩフィードバックを送信することを控えることと
をさらに備える、請求項１に記載の方法。
【請求項９】
非周期タイムラインに従って前記セルにチャネル状態情報（ＣＳＩ）フィードバックを報告することと、
前記インジケータを受信することに少なくとも部分的に基づいて、基準ＴＤＤ構成に基づく異なる非周期タイムラインに従って前記セルに前記ＣＳＩフィードバックを報告することと
をさらに備える、請求項１に記載の方法。
【請求項１０】
前記複数のダウンリンクサブフレームを使用して通信することと、前記複数のアップリンクサブフレームを使用して通信することとの間で切り替えるための切替えガード期間の構成を前記セルから受信することをさらに備える、請求項１に記載の方法。
【請求項１１】
ワイヤレス通信におけるフレキシブル複信を与えるための装置であって、
セルとのアップリンク周波数帯域とダウンリンク周波数帯域とを分離するために、周波数分割複信（ＦＤＤ）を使用して前記セルと通信するための手段と、
前記アップリンク周波数帯域上で時分割複信（ＴＤＤ）を実装するためのインジケータを前記セルから受信するための手段と、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信するための手段と、
前記複数のダウンリンクサブフレームのうちの少なくとも１つのダウンリンクサブフレーム中のアップリンク通信のための周波数部分上で制御データを送信するための手段と、
を備える、装置。
【請求項１２】
前記インジケータを受信するための前記手段が、前記ダウンリンク周波数帯域上で前記セルによって送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、前記セルから前記インジケータを受信する、請求項１１に記載の装置。
【請求項１３】
請求項３〜１０のいずれか一項に記載の方法を実行するように適応されている処理手段をさらに備える、請求項１１に記載の装置。
【請求項１４】
コンピューティングデバイスのプロセッサ上で実行されると、請求項１〜１０のいずれか一項に記載の方法を実行するための命令を備えるコンピュータプログラム。
【発明の詳細な説明】
【技術分野】
【０００１】
優先権の主張
[0001]本特許出願は、本出願の譲受人に譲渡され、すべての目的のために参照により本明細書に明確に組み込まれる、２０１５年３月５日に出願された「CONTROL SIGNALING FOR FLEXIBLE DUPLEX IN WIRELESS COMMUNICATIONS」と題するＰＣＴ特許出願第ＰＣＴ／ＣＮ２０１５／０７３６９１号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ＬＴＥ（登録商標）システム）がある。
【０００３】
[0003]例として、ワイヤレス多元接続通信システムは、場合によってはユーザ機器（ＵＥ）、モバイルデバイスまたは局（ＳＴＡ）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、通信デバイスと通信し得る。
【０００４】
[0004]セルラーネットワークがより過密になるにつれて、事業者は、利用可能なネットワークリソースの使用を最大にするための方法を考察し始めている。１つの手法は、基地局から１つまたは複数の通信デバイスへのダウンリンクトラフィックをスケジュールするために、予備アップリンクリソース（たとえば、利用可能なスペクトル）を利用することを含み得る。しかしながら、これは、ハイブリッド自動再送／要求（ＨＡＲＱ）送信フィードバック、チャネル状態情報（ＣＳＩ）送信など、ＵＥからのいくつかのアップリンク送信に影響を及ぼし得る。たとえば、そのような送信のために構成されたアップリンクリソースが、基地局によるダウンリンクトラフィックをスケジュールするために利用される可能性があり、その場合、アップリンク送信は基地局によって受信されないことがある。
【発明の概要】
【０００５】
[0005]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００６】
[0006]たとえば、ワイヤレス通信におけるフレキシブル複信を与えるための方法が提供される。本方法は、セルとのアップリンク周波数帯域とダウンリンク周波数帯域とを分離するために、周波数分割複信（ＦＤＤ）を使用してセルと通信することと、アップリンク周波数帯域上で時分割複信（ＴＤＤ）を実装するためのインジケータをセルから受信することと、インジケータを受信することに少なくとも部分的に基づいて、アップリンク周波数帯域を、セルからダウンリンク通信を受信するための複数のダウンリンクサブフレームと、セルにアップリンク通信を送信するための複数のアップリンクサブフレームとに分離するために、ＴＤＤを使用してセルと通信することとを含む。
【０００７】
[0007]別の例では、ワイヤレス通信におけるフレキシブル複信を与えるための装置が提供される。本装置は、セルとのアップリンク周波数帯域とダウンリンク周波数帯域とを分離するために、ＦＤＤを使用してセルと通信するように構成された通信構成要素と、アップリンク周波数帯域上でＴＤＤを実装するためのインジケータをセルから受信するように構成されたインジケータ受信構成要素とを含み、ここにおいて、通信構成要素は、インジケータを受信することに少なくとも部分的に基づいて、アップリンク周波数帯域を、セルからダウンリンク通信を受信するための複数のダウンリンクサブフレームと、セルにアップリンク通信を送信するための複数のアップリンクサブフレームとに分離するために、ＴＤＤを使用してセルと通信するようにさらに構成される。
【０００８】
[0008]また別の例では、ワイヤレス通信におけるフレキシブル複信を与えるための装置が提供される。本装置は、セルとのアップリンク周波数帯域とダウンリンク周波数帯域とを分離するために、ＦＤＤを使用してセルと通信するための手段と、アップリンク周波数帯域上でＴＤＤを実装するためのインジケータをセルから受信するための手段と、インジケータを受信することに少なくとも部分的に基づいて、アップリンク周波数帯域を、セルからダウンリンク通信を受信するための複数のダウンリンクサブフレームと、セルにアップリンク通信を送信するための複数のアップリンクサブフレームとに分離するために、ＴＤＤを使用してセルと通信するための手段とを含む。
【０００９】
[0009]さらなる一例では、ワイヤレス通信におけるフレキシブル複信を与えるためのコードを記憶するコンピュータ可読媒体が提供される。コードは、セルとのアップリンク周波数帯域とダウンリンク周波数帯域とを分離するために、ＦＤＤを使用してセルと通信するためのコードと、アップリンク周波数帯域上でＴＤＤを実装するためのインジケータをセルから受信するためのコードと、インジケータを受信することに少なくとも部分的に基づいて、アップリンク周波数帯域を、セルからダウンリンク通信を受信するための複数のダウンリンクサブフレームと、セルにアップリンク通信を送信するための複数のアップリンクサブフレームとに分離するために、ＴＤＤを使用してセルと通信するためのコードとを含む。
【００１０】
[0010]別の特定の例では、ワイヤレス通信におけるフレキシブル複信を与えるための方法は、ＵＥとのアップリンク周波数帯域とダウンリンク周波数帯域とを分離するために、ＦＤＤを使用してＵＥと通信することと、アップリンク周波数帯域上でＴＤＤを実装するためのインジケータをＵＥに送信することと、インジケータを送信することに少なくとも部分的に基づいて、アップリンク周波数帯域を、ＵＥにダウンリンク通信を送信するための複数のダウンリンクサブフレームと、ＵＥからアップリンク通信を受信するための複数のアップリンクサブフレームとに分離するために、ＴＤＤを使用してＵＥと通信することとを含む。本方法は、ここにおいて、インジケータを送信することが、ダウンリンク周波数帯域上で送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、ＵＥにインジケータを送信することを備える、をも含むことができる。さらに、本方法は、アップリンク周波数帯域において肯定応答（ＡＣＫ）／否定ＡＣＫ（ＮＡＣＫ）を送信するための複数のアップリンクサブフレームのうちの少なくとも１つを示す基準ＴＤＤ構成をＵＥに送信することを含むことができる。本方法は、ここにおいて、基準ＴＤＤ構成を送信することが、システム情報ブロック（ＳＩＢ）を介してまたはＲＲＣシグナリングを介してＵＥに基準ＴＤＤ構成を送信することを備える、をも含むことができる。その上、本方法は、複数のダウンリンクサブフレームのうちの少なくとも１つのアップリンク周波数部分上でＵＥのための制御データリソースをスケジュールすることを含み得る。本方法は、ここにおいて、複数のダウンリンクサブフレームのうちの少なくとも１つのアップリンク周波数部分は、ガード帯域によってダウンリンク周波数部分から分離される、をも含み得る。また、本方法は、ガード帯域に関係する１つまたは複数のパラメータをＵＥに送信することを含み得る。本方法は、チャネル状態情報（ＣＳＩ）フィードバックを送信するための複数のアップリンクサブフレームのうちの少なくとも１つを示す構成をＵＥに送信することをも含み得る。さらに、本方法は、１つまたは複数のＵＥがフレキシブル複信をサポートしないと決定することに少なくとも部分的に基づいて、１つまたは複数のＵＥからの接続要求を拒否することを含み得る。本方法は、複数のダウンリンクサブフレームを使用して通信することと、複数のアップリンクサブフレームを使用して通信することとの間で切り替えるための切替えガード期間の構成を、複数のダウンリンクサブフレームのうちの１つまたは複数中でＵＥに送信することをも含み得る。さらに、本方法は、切替えガード期間に対応しない複数のダウンリンクサブフレームのうちの１つまたは複数の一部分においてＵＥのための制御データ通信をスケジュールすることを含み得る。
【００１１】
[0011]別の特定の例では、ワイヤレス通信におけるフレキシブル複信を与えるための装置は、ＵＥとのアップリンク周波数帯域とダウンリンク周波数帯域とを分離するために、ＦＤＤを使用してＵＥと通信するように構成された通信構成要素と、アップリンク周波数帯域上でＴＤＤを実装するためのインジケータをＵＥに送信するように構成されたインジケータ送信構成要素とを含み、ここにおいて、通信構成要素は、インジケータを送信することに少なくとも部分的に基づいて、アップリンク周波数帯域を、ＵＥにダウンリンク通信を送信するための複数のダウンリンクサブフレームと、ＵＥからアップリンク通信を受信するための複数のアップリンクサブフレームとに分離するために、ＴＤＤを使用してＵＥと通信するようにさらに構成される。本装置は、上記の方法で説明された追加の態様を実行するように構成され得る。
【００１２】
[0012]別の例では、ワイヤレス通信におけるフレキシブル複信を与えるための装置は、ＵＥとのアップリンク周波数帯域とダウンリンク周波数帯域とを分離するために、ＦＤＤを使用してＵＥと通信するための手段と、アップリンク周波数帯域上でＴＤＤを実装するためのインジケータをＵＥに送信するための手段と、インジケータを送信することに少なくとも部分的に基づいて、アップリンク周波数帯域を、ＵＥにダウンリンク通信を送信するための複数のダウンリンクサブフレームと、ＵＥからアップリンク通信を受信するための複数のアップリンクサブフレームとに分離するために、ＴＤＤを使用してＵＥと通信するための手段とを含む。本装置は、上記の方法で説明された追加の態様を実行するための手段を含むことができる。
【００１３】
[0013]また、さらなる態様では、ワイヤレス通信におけるフレキシブル複信を与えるためのコードを記憶するコンピュータ可読媒体は、ＵＥとのアップリンク周波数帯域とダウンリンク周波数帯域とを分離するために、ＦＤＤを使用してＵＥと通信するためのコードと、アップリンク周波数帯域上でＴＤＤを実装するためのインジケータをＵＥに送信するためのコードと、インジケータを送信することに少なくとも部分的に基づいて、アップリンク周波数帯域を、ＵＥにダウンリンク通信を送信するための複数のダウンリンクサブフレームと、ＵＥからアップリンク通信を受信するための複数のアップリンクサブフレームとに分離するために、ＴＤＤを使用してＵＥと通信するためのコードとを含む。本コンピュータ可読媒体は、上記の方法で説明された追加の態様を実行するためのコードをさらに含むことができる。
【００１４】
[0014]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１５】
[0015]開示される態様は、開示される態様を限定するためではなく、例示するために与えられる、添付の図面とともに以下で説明され、同様の表示は同様の要素を示す。
【図面の簡単な説明】
【００１６】
【図１】[0016]本明細書で説明される様々な態様による、基地局、アクセスポイント、モバイル端末などを通信するためのワイヤレス通信システムの一例を示す図。
【図２】[0017]本明細書で説明される様々な態様による、例示的な周波数分割複信（ＦＤＤ）構成を示す図。
【図３】[0018]本明細書で説明される様々な態様による、フレキシブル複信を実装するためのワイヤレス通信システムの一例を示す図。
【図４】[0019]本明細書で説明される様々な態様による、ユーザ機器（ＵＥ）と通信する際にフレキシブル複信を実装するための例示的な方法のフローチャート。
【図５】[0020]本明細書で説明される様々な態様による、セルと通信する際にフレキシブル複信を実装するための例示的な方法のフローチャート。
【図６】[0021]本明細書で説明される様々な態様による、ユーザ機器（ＵＥ）と通信する際にフレキシブル複信を実装するための例示的な方法のフローチャート。
【図７】[0022]本明細書で説明される様々な態様による、セルと通信する際にフレキシブル複信を実装するための例示的な方法のフローチャート。
【図８】[0023]本明細書で説明される様々な態様による、肯定応答／否定応答フィードバックを通信するための例示的なＦＤＤ構成を示す図。
【図９】[0024]本明細書で説明される様々な態様による、フレキシブル複信サブフレーム中のアップリンク制御周波数部分を予約するための例示的なＦＤＤ構成を示す図。
【図１０】[0025]処理システムを採用する装置のためのハードウェア実装形態の一例を示す図。
【発明を実施するための形態】
【００１７】
[0026]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構成要素がブロック図の形式で示される。その上、一態様では、構成要素は、概して、システムを構成する部分のうちの１つであることが理解され得、ハードウェアまたはソフトウェアであり得、および／または他の構成要素に分割され得る。
【００１８】
[0027]多元接続技術は、１つまたは複数のキャリア上でアップリンク通信とダウンリンク通信とを提供するために、周波数分割複信（ＦＤＤ）または時分割複信（ＴＤＤ）を使用し得る。ＴＤＤ動作は、対スペクトルリソース（paired spectrum resource）を必要としない比較的フレキシブルな展開を提供し得る。ＴＤＤフォーマット（または構成）はデータのフレームの送信を含み、各フレームは、異なるサブフレームがアップリンクサブフレームまたはダウンリンクサブフレームであり得る、いくつかの異なるサブフレームを含む。ＴＤＤを使用して動作するシステムでは、アップリンク通信とダウンリンク通信とが非対称であり得る、異なるフォーマット（または構成）が使用され得る。ＦＤＤ動作は、同時のアップリンク通信およびダウンリンク通信について異なる（キャリアとも呼ばれる）周波数帯域を利用する。
【００１９】
[0028]フレキシブル複信は、たとえば、アップリンク周波数帯域がＴＤＤにおけるアップリンクサブフレームとダウンリンクサブフレームの両方を含むことを可能にするために、ＦＤＤにおいて実装され得る。これは、基地局におけるトラフィックパターンにより良く一致するように、基地局におけるさらなるダウンリンク帯域幅を与えることを可能にする。しかしながら、フレキシブル複信は、（たとえば、さらなるアップリンク帯域幅が基地局において必要とされる場合）ダウンリンク周波数帯域がＴＤＤにおけるダウンリンクサブフレームとアップリンクサブフレームの両方を含むことを可能にすることをも含み得るが、それは、本明細書ではアップリンク周波数帯域を分割することに関して一層説明されることを諒解されたい。しかしながら、この点についてアップリンク周波数帯域を割り振ることは、第３世代パートナーシッププロジェクト（３ＧＰＰ（登録商標））ロングタームエボリューション（ＬＴＥ）など、いくつかの無線アクセス技術におけるいくつかのアップリンク送信に影響を及ぼし得る。
【００２０】
[0029]たとえば、ＬＴＥ−ＦＤＤでは、ユーザ機器（ＵＥ）は、関連するダウンリンク送信の後に生じる固定アップリンクサブフレーム（たとえば、ダウンリンク送信の４サブフレーム後）中で基地局にダウンリンクハイブリッド自動再送／要求（ＨＡＲＱ）フィードバックを送信する。しかしながら、フレキシブル複信が基地局において可能にされたとき、ダウンリンクＨＡＲＱフィードバックがその間に送信されるべきであるアップリンクサブフレームが、ＴＤＤにおけるダウンリンク通信のために割り振られ、したがって、ＵＥは、ダウンリンクＨＡＲＱ通信を送信することが可能でないことがある（または基地局がダウンリンクＨＡＲＱ通信を受信しないことがある）可能性がある。同様に、ＵＥにおける周期チャネル局情報（ＣＳＩ：channel station information）送信は、特に、フレキシブル複信が、ダウンリンク通信需要の増加を扱うことが望まれるときにアクティブにされるように動的に構成され得るので、フレキシブル複信によって同様に影響を及ぼされ得る。フレキシブル複信をサポートするＵＥの場合、ＨＡＲＱおよびＣＳＩはフレキシブル複信構成に基づいて構成され得る。しかしながら、（本明細書ではレガシーＵＥとも呼ばれる）フレキシブル複信をサポートしないＵＥの場合、フレキシブル複信は、そのようなＵＥに対する影響を最小限に抑えるように構成され得、および／またはＵＥは、フレキシブル複信をサポートする基地局から離れてステアリングされ得る。
【００２１】
[0030]一例では、レガシーＵＥをサポートするために、ダウンリンク通信のために構成されたアップリンク周波数帯域のサブフレームは、ガード帯域によってダウンリンク周波数サブバンドから分離された（たとえば、アップリンク周波数帯域のエッジにある）１つまたは複数のアップリンク周波数サブバンドを含むことができる。したがって、レガシーＵＥは、サブフレームが、フレキシブル複信におけるアップリンク通信のために構成されたのか、ダウンリンク通信のために構成されたのかにかかわらず、アップリンクサブバンドにおいてＨＡＲＱフィードバックを送信することができる。
【００２２】
[0031]本明細書で説明される様々な態様は、ＴＤＤを使用してＦＤＤにおけるアップリンク周波数帯域におけるサブフレームの一部分をアップリンク通信とダウンリンク通信とに割り振ることによって、ワイヤレス通信におけるフレキシブル複信を与えることに関する。フレキシブル複信を与えることの指示が、フレキシブル複信によって影響を及ぼされるユーザ機器（ＵＥ）に与えられ得る。さらに、ハイブリッド自動再送／要求（ＨＡＲＱ）通信、チャネル状態情報（ＣＳＩ）送信などが、（たとえば、フレキシブル複信をサポートするＵＥによって、および／またはフレキシブル複信をサポートしないＵＥのために）フレキシブル複信構成において通信するために構成され得る。その上、一例では、フレキシブル複信をサポートしないＵＥは、基地局と通信する際のＵＥの動作不可能性を緩和するために、フレキシブル複信を実装する基地局から離れてステアリングされ得る。
【００２３】
[0032]特定の例では、物理レイヤにおける第１のサブスクリプションのための送信機アクティビティを決定する送信機使用予測構成要素が、ＵＥにおいて設けられる。送信機使用予測構成要素は、第２のサブスクリプションに関係するＴＴＩ長さ、タイムスロットの数およびロケーションなどを含むクエリ入力を受け付けることができ、ＴＴＩ長さ、タイムスロットの数およびロケーションなどについての第１のサブスクリプションとの重複に関するクエリ出力を与えることができる。したがって、たとえば、送信機使用予測構成要素は、送信機を使用するための高優先度を有し得る、第１のサブスクリプションの予測された送信機使用を決定するために使用され得、ＵＥは、第２のサブスクリプションのための送信機使用のスケジューリングを決定する際に第１のサブスクリプションの予測された送信機使用を利用し得る。
【００２４】
[0033]図１は、本明細書で説明される様々な態様による、干渉管理を協調させるためのワイヤレス通信システム１００の一例を示す。ワイヤレス通信システム１００は、基地局１０５と、アクセスポイント（ＡＰ）１２０と、モバイルデバイス１１５と、コアネットワーク１３０とを含む。１つまたは複数の基地局１０５（またはＡＰ１２０）は、１つまたは複数のモバイルデバイス１１５と通信する際にフレキシブル複信を実装するための、本明細書でさらに説明される通信構成要素３３０を含み得る。同様に、モバイルデバイス１１５のうちの１つまたは複数は、１つまたは複数の基地局１０５（またはＡＰ１２０）と通信する際にフレキシブル複信を実装するための、本明細書でさらに説明される通信構成要素３１０を含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースする。基地局１０５およびＡＰ１２０は、モバイルデバイス１１５との通信のための無線構成およびスケジューリングを実行し得るか、または基地局コントローラ（図示せず）の制御下で動作し得る。様々な例では、基地局１０５およびＡＰ１２０は、ワイヤードまたはワイヤレス通信リンクであり得るバックホールリンク１３４（たとえば、Ｘ２、オーバージエア（ＯＴＡ）など）を介して、直接または間接的（たとえば、コアネットワーク１３０を通して）のいずれかで、互いと通信し得る。
【００２５】
[0034]基地局１０５およびＡＰ１２０は、１つまたは複数のアンテナを介してモバイルデバイス１１５とワイヤレス通信し得る。基地局１０５およびＡＰ１２０の各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０−ａ、およびＡＰ１２０のためのカバレージエリア１１０−ｂは、カバレージエリアの一部分のみを構成するセクタに分割され得る（図示せず）。ワイヤレス通信システム１００は、異なるタイプの基地局１０５およびＡＰ１２０（たとえば、マクロセル基地局またはスモールセル基地局）を含み得る。異なる技術のための重複する地理的カバレージエリア１１０があり得る。
【００２６】
[0035]モバイルデバイス１１５は、通信リンク１２５を使用して基地局１０５およびＡＰ１２０を通して互いと通信し得るが、各モバイルデバイス１１５はまた、直接ワイヤレスリンク１３５を介して１つまたは複数の他のモバイルデバイス１１５と直接通信し得る。２つまたはそれ以上のモバイルデバイス１１５は、両方のモバイルデバイス１１５が地理的カバレージエリア１１０中にあるとき、あるいは一方のモバイルデバイス１１５がＡＰ地理的カバレージエリア１１０内にあるか、またはいずれのモバイルデバイス１１５も地理的カバレージエリア１１０内にないとき、直接ワイヤレスリンク１３５を介して通信し得る。直接ワイヤレスリンク１３５の例としては、Ｗｉ−Ｆｉ  Ｄｉｒｅｃｔ（登録商標）接続、Ｗｉ−Ｆｉ（登録商標）トンネルドダイレクトリンクセットアップ（ＴＤＬＳ：Tunneled Direct Link Setup）リンクを使用して確立される接続、および他のＰ２Ｐグループ接続があり得る。他の実装形態では、他のピアツーピア接続またはアドホックネットワークがワイヤレス通信システム１００内に実装され得る。
【００２７】
[0036]いくつかの例では、ワイヤレス通信システム１００は、ＬＴＥ／ＬＴＥアドバンスト（ＬＴＥ−Ａ）ネットワークなど、ワイヤレスワイドエリアネットワーク（ＷＷＡＮ）を含む。ＬＴＥ／ＬＴＥ−Ａネットワークでは、発展型ノードＢ（ｅＮＢ）という用語は、概して、基地局１０５を表すために使用され得、ユーザ機器（ＵＥ）という用語は、概して、モバイルデバイス１１５を表すために使用され得る。ワイヤレス通信システム１００は、異なるタイプのｅＮＢが様々な地理的領域にカバレージを与える、異種ＬＴＥ／ＬＴＥ−Ａネットワークを含み得る。ワイヤレス通信システム１００は、いくつかの例では、ワイヤレスローカルエリアネットワーク（ＷＬＡＮ）をもサポートし得る。ＷＬＡＮは、米国電気電子技術者協会（ＩＥＥＥ）８０２．１１規格ファミリー（「Ｗｉ−Ｆｉ」）に基づく技法を採用するネットワークであり得る。いくつかの例では、各ｅＮＢまたは基地局１０５およびＡＰ１２０は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００２８】
[0037]マクロセルは、概して、比較的大きい地理的エリア（たとえば、半径数キロメートル）をカバーし、ネットワークプロバイダのサービスに加入しているモバイルデバイス１１５による無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているモバイルデバイス１１５による無制限アクセスを可能にし得る。フェムトセルは、小さい地理的エリア（たとえば、自宅）を同じくカバーし得、フェムトセルとの関連を有するモバイルデバイス１１５（たとえば、限定加入者グループ（ＣＳＧ：closed subscriber group）中のモバイルデバイス１１５、自宅内のユーザのためのモバイルデバイス１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。本開示のいくつかの態様では、基地局１０５はマクロｅＮＢと呼ばれることがあり、ＡＰ１２０はスモールセル基地局と呼ばれることがある。
【００２９】
[0038]ワイヤレス通信システム１００は、同期動作または非同期動作をサポートし得る。同期動作の場合、基地局１０５は同様のフレームタイミングを有し得、異なる基地局１０５からの送信は時間的に近似的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００３０】
[0039]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：packet data convergence protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、モバイルデバイス１１５と基地局１０５との間のＲＲＣ接続の確立と構成と維持とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３１】
[0040]モバイルデバイス１１５は、ワイヤレス通信システム１００全体にわたって分散され得、各モバイルデバイス１１５は固定または移動であり得る。モバイルデバイス１１５は、ユーザ機器（ＵＥ）、移動局、加入者局、ＳＴＡ、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。モバイルデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。モバイルデバイスは、マクロｅＮＢ、スモールセルｅＮＢ、リレー基地局などを含む、様々なタイプの基地局およびネットワーク機器と通信することが可能であり得る。モバイルデバイス１１５は、適応走査技法を採用するマルチ無線デバイスであり得る。たとえば、モバイルデバイス１１５は、それの無線機のうちの１つの走査動作を、それの無線機のうちの別のものの信号品質に基づいて動的に適応させ得る。いくつかの例では、デュアル無線モバイルデバイス１１５−ａは、（ＷＷＡＮ無線機を使用して）基地局１０５と、および（ＷＬＡＮ無線機を使用して）ＡＰ１２０と同時に通信するように構成され得るＷＬＡＮ無線機（図示せず）とＷＷＡＮ無線機（図示せず）とを含み得る。
【００３２】
[0041]ワイヤレス通信システム１００中に示されている通信リンク１２５は、モバイルデバイス１１５から基地局１０５またはＡＰ１２０へのアップリンク（ＵＬ）送信、あるいは基地局１０５またはＡＰ１２０からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【００３３】
[0042]通信リンク１２５は、認可スペクトルのリソースまたは無認可スペクトルのリソースあるいはその両方を利用し得る。概して、いくつかの管轄における無認可スペクトルは、６００メガヘルツ（ＭＨｚ）から６ギガヘルツ（ＧＨｚ）にわたり得るが、その範囲に限定される必要はない。したがって、本明細書で使用される「無認可スペクトル」または「共有スペクトル」という用語は、それらの帯域の周波数にかかわらず、工業、科学および医療（ＩＳＭ）無線帯域を指し得る。「無認可スペクトル」または「共有スペクトル」は、競合ベース通信システムにおいて使用されるスペクトルを指すことがある。いくつかの例では、無認可スペクトルは、５ＧＨｚまたは５Ｇ帯域と呼ばれることもあるＵ−ＮＩＩ無線帯域である。対照的に、「認可スペクトル」または「セルラースペクトル」という用語は、本明細書では、管理機関からの管理認可の下でワイヤレスネットワーク事業者によって利用されるワイヤレススペクトルを指すために使用され得る。
【００３４】
[0043]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。モバイルデバイス１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３５】
[0044]ワイヤレス通信システム１００におけるデータは、論理チャネルと、トランスポートチャネルと、物理レイヤチャネルとに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのＤＬ共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。
【００３６】
[0045]図２は、ワイヤレスネットワークのノード間で通信するための例示的なＦＤＤ構成２００を示す。たとえば、ＦＤＤ構成は、ＦＤＤダウンリンク（ＤＬ）２０２とＦＤＤアップリンク（ＵＬ）２０４とを含むことができる。ＦＤＤ  ＤＬ２０２およびＦＤＤ  ＵＬ２０４は、周波数スペクトルにおける連続帯域または不連続帯域であり得る、ダウンリンク周波数帯域およびアップリンク周波数帯域を含むように周波数において分離され得る。ＬＴＥでは、たとえば、基地局は、それと通信する１つまたは複数のＵＥに、ＦＤＤ  ＤＬ２０２周波数リソースとＦＤＤ  ＵＬ２０４周波数リソースとを割り振ることができ、ここで、ＦＤＤ  ＤＬ２０２は基地局からＵＥへの通信を可能にし、ＦＤＤ  ＵＬ２０４はＵＥから基地局への通信をスケジュールすることを可能にする。一般に、ＦＤＤ  ＤＬ２０２は、それぞれダウンリンク通信のために構成された複数のサブフレームを備え、ＦＤＤ  ＵＬ２０４は、それぞれアップリンク通信のために構成された複数のサブフレームを備える。ＦＤＤ  ＵＬ２０４のフレーム２０６が、アップリンク通信のために構成された複数のサブフレームを含むように示されている。たとえば、ＦＤＤ  ＤＬ２０２およびＦＤＤ  ＵＬ２０４は、実質的に、時間的に整合させられ得、各「Ｄ」または「Ｕ」ブロックはサブフレームを表すことができ、ここで、１０個のサブフレームがフレームを形成することができる。特定の例では、ＬＴＥにおいて、各サブフレームは長さが１ｍｓであり得、したがって、フレームは長さが１０ｍｓであり得る。
【００３７】
[0046]フレキシブル複信では、ＦＤＤ  ＵＬ２０４におけるアップリンク周波数帯域は、（たとえば、ダウンリンクトラフィック需要が増加する場合）基地局において追加のダウンリンクリソースを与えるために、１つまたは複数のダウンリンクサブフレームを含むように割り振られ得る。したがって、所与のフレーム２０８について、一例では、ＦＤＤ  ＵＬ２０４は、フレーム２０８中でＴＤＤにおいて構成された、「Ｄ」と示されている１つまたは複数のダウンリンクサブフレームと、「Ｕ」と示されている１つまたは複数のアップリンクサブフレームとを含むように構成される。「Ｓ」と示されている１つまたは複数のスペシャルサブフレームも、ダウンリンク通信からアップリンク通信への切替えのためにフレーム中で構成され得ることを諒解されたい。フレーム２１０などの後続のフレームでは、ＦＤＤ  ＵＬ２０４は、（たとえば、ダウンリンクトラフィック需要が減少する場合）各サブフレーム中のアップリンク通信のために構成された１つまたは複数のフレームを有するように構成され得る。特定の一例では、基地局に、次のフレーム中でフレキシブル複信に切り替えることを決定させるイベントが、ダウンリンクサブフレーム２１２の周りで起こり得る。たとえば、大量のダウンリンクパケットがサブフレーム２１２に到着し得る、または送信のためのダウンリンクパケットを記憶する基地局におけるバッファがしきい値レベルに達したことを決定され得る、などである。
【００３８】
[0047]フレキシブル複信は、多大なダウンリンクトラフィック需要および限られた利用可能な周波数スペクトルを考慮して、ダウンリンク送信のための予備アップリンクリソースの利用を考慮することを可能にする。たとえば、ダウンリンクとアップリンクとの間のトラフィックは約４：１であり得、モバイルトラフィックのためのビデオデータの部分が増加した場合、比は著しく増加し得る。フレキシブル複信は、上記で説明されたように、動的トラフィック適応リソース割振りのフレキシビリティをサポートすることが可能である。たとえば、所与の基地局は、デフォルトでＦＤＤとして動作し得るが、上記で説明されたように、何らかのダウンリンクトラフィックをオフロードするためにＴＤＤを使用するようにアップリンクを再構成することが可能であり得る。しかしながら、フレキシブル複信を使用することは、フレキシブル複信を使用するための再構成を示すための制御シグナリング、ダウンリンクＨＡＲＱフォーマットを示すための制御シグナリング、ＣＳＩフィードバックを示す（たとえば、それぞれ、ＦＤＤ  ＵＬ送信およびオフローディングＤＬ送信のための２つのＣＳＩプロセスをサポートする）ための制御シグナリング、フレキシブル複信を使用するときにＡＣＫ／ＮＡＣＫリソースを失い得るレガシーＵＥとの後方互換性のための制御シグナリング、ＤＬからＵＬへの切替えのためのガード期間を示すための制御シグナリングなど、何らかの特定の制御シグナリングを利用することになり得る。
【００３９】
[0048]図３〜図７を参照すると、態様は、本明細書で説明されるアクションまたは機能を実行し得る１つまたは複数の構成要素および１つまたは複数の方法に関して示される。一態様では、本明細書で使用される「構成要素」という用語は、システムを構成する部分のうちの１つであり得、ハードウェアまたはソフトウェアまたはそれらの何らかの組合せであり得、他の構成要素に分割され得る。図４〜図７において以下で説明される動作は、特定の順序でおよび／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明されるアクションまたは機能を実行することが可能なハードウェア構成要素および／またはソフトウェア構成要素の任意の他の組合せによって実行され得ることを理解されたい。
【００４０】
[0049]次に図３を参照すると、一態様では、ワイヤレス通信システム３００は、基地局３０４と通信する際の少なくとも１つのＵＥ３０２を含む。いくつかの例では、ＵＥ３０２はモバイルデバイス１１５の一例であり得、および／または基地局３０４は、図１を参照しながら説明された基地局１０５、ＡＰ１２０などであり得る。たとえば、基地局３０４は、少なくとも１つのダウンリンク周波数帯域（またはキャリア）と、少なくとも１つのアップリンク周波数帯域（またはキャリア）とを与えるために、ＦＤＤを使用して（たとえば、ＵＥ３０２を含む）１つまたは複数のＵＥとの通信を構成し得る。さらに、いくつかの例では、基地局３０４は、（たとえば、ダウンリンクトラフィック需要が増加する場合）少なくともアップリンク周波数帯域上でフレキシブル複信をアクティブおよび／または非アクティブにすることができる。
【００４１】
[0050]たとえば、基地局３０４およびＵＥ３０２は、ダウンリンク信号をそれの上で通信するための１つまたは複数のダウンリンクチャネルを確立していることがあり、ダウンリンク信号は、構成された通信リソース上で基地局３０４からＵＥ３０２に（たとえば、シグナリングにおいて）制御および／またはデータメッセージを通信するために、（たとえば、トランシーバ３５９を介して）基地局３０４によって送信され、（たとえば、トランシーバ３０９を介して）ＵＥ３０２によって受信され得る。その上、たとえば、基地局３０４およびＵＥ３０２は、アップリンク信号を介してそれの上で通信するための１つまたは複数のアップリンクチャネルを確立していることがあり、アップリンク信号は、構成された通信リソース上でＵＥ３０２から基地局３０４に（たとえば、シグナリングにおいて）制御および／またはデータメッセージを通信するために、（たとえば、トランシーバ３０９を介して）ＵＥ３０２によって送信され、（たとえば、トランシーバ３５９を介して）基地局３０４によって受信され得る。
【００４２】
[0051]一態様では、ＵＥ３０２は、１つまたは複数のプロセッサ３０３および／またはメモリ３０５を含み得、１つまたは複数のプロセッサ３０３および／またはメモリ３０５は、たとえば、１つまたは複数のバス３０７を介して通信可能に結合され得、フレキシブル複信、および／またはアップリンク制御データ送信への関係する変更を実装するために通信リソースおよび／または関係する構成情報を受信するための通信構成要素３１０とともに動作するか、またはさもなければ通信構成要素３１０を実装し得る。たとえば、本明細書で説明される通信構成要素３１０に関係する様々な動作は、１つまたは複数のプロセッサ３０３によって実装されるか、またはさもなければ実行され得、一態様では、単一のプロセッサによって実行され得、他の態様では、動作のうちの異なるものは２つまたはそれ以上の異なるプロセッサの組合せによって実行され得る。たとえば、一態様では、１つまたは複数のプロセッサ３０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ３０９に関連するトランシーバプロセッサのうちのいずれか１つまたは任意の組合せを含み得る。さらに、たとえば、メモリ３０５は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ３０３によってアクセスされ、読み取られ得るソフトウェアおよび／またはコンピュータ可読コードまたは命令を記憶するための任意の他の好適な媒体を含む非一時的コンピュータ可読媒体であり得る。その上、メモリ３０５またはコンピュータ可読記憶媒体は、１つまたは複数のプロセッサ３０３中に存在する、１つまたは複数のプロセッサ３０３の外部にある、１つまたは複数のプロセッサ３０３を含む複数のエンティティにわたって分散される、などであり得る。
【００４３】
[0052]特に、１つまたは複数のプロセッサ３０３および／またはメモリ３０５は、通信構成要素３１０またはそれの副構成要素によって定義されたアクションまたは動作を実行し得る。たとえば、１つまたは複数のプロセッサ３０３および／またはメモリ３０５は、基地局と通信するために構成されたアップリンク周波数帯域上でフレキシブル複信を構成するためのフレキシブル複信構成構成要素３１２によって定義されたアクションまたは動作を実行し得る。一態様では、たとえば、フレキシブル複信構成構成要素３１２は、ハードウェア（たとえば、１つまたは複数のプロセッサ３０３の１つまたは複数のプロセッサモジュール）、および／あるいはメモリ３０５に記憶され、本明細書で説明される特別に構成されたフレキシブル複信構成動作を実行するために１つまたは複数のプロセッサ３０３のうちの少なくとも１つによって実行可能なコンピュータ可読コードまたは命令を含み得る。さらに、たとえば、１つまたは複数のプロセッサ３０３および／またはメモリ３０５は、フレキシブル複信をアクティブにするようにとの（たとえば、基地局からの）指示を受信するためのインジケータ受信構成要素３１４によって定義されたアクションまたは動作を随意に実行し得る。一態様では、たとえば、インジケータ受信構成要素３１４は、ハードウェア（たとえば、１つまたは複数のプロセッサ３０３の１つまたは複数のプロセッサモジュール）、および／あるいはメモリ３０５に記憶され、本明細書で説明される特別に構成されたインジケータ受信動作を実行するために１つまたは複数のプロセッサ３０３のうちの少なくとも１つによって実行可能なコンピュータ可読コードまたは命令を含み得る。
【００４４】
[0053]さらに、たとえば、１つまたは複数のプロセッサ３０３および／またはメモリ３０５は、フレキシブル複信のために構成されたアップリンク周波数帯域上でアップリンク制御データを送信することに関係する構成情報を受信するための構成受信構成要素３１６によって定義されたアクションまたは動作を随意に実行し得る。一態様では、たとえば、構成受信構成要素３１６は、ハードウェア（たとえば、１つまたは複数のプロセッサ３０３の１つまたは複数のプロセッサモジュール）、および／あるいはメモリ３０５に記憶され、本明細書で説明される特別に構成された構成受信動作を実行するために１つまたは複数のプロセッサ３０３のうちの少なくとも１つによって実行可能なコンピュータ可読コードまたは命令を含み得る。さらに、たとえば、１つまたは複数のプロセッサ３０３および／またはメモリ３０５は、フレキシブル複信のために構成されたアップリンク周波数帯域上で制御データを送信するための制御データ送信構成要素３１８によって定義されたアクションまたは動作を随意に実行し得る。一態様では、たとえば、制御データ送信構成要素３１８は、ハードウェア（たとえば、１つまたは複数のプロセッサ３０３の１つまたは複数のプロセッサモジュール）、および／あるいはメモリ３０５に記憶され、本明細書で説明される特別に構成された制御データ送信動作を実行するために１つまたは複数のプロセッサ３０３のうちの少なくとも１つによって実行可能なコンピュータ可読コードまたは命令を含み得る。
【００４５】
[0054]同様に、一態様では、基地局３０４は、１つまたは複数のプロセッサ３５３および／またはメモリ３５５を含み得、１つまたは複数のプロセッサ３５３および／またはメモリ３５５は、たとえば、１つまたは複数のバス３５７を介して通信可能に結合され得、本明細書でさらに説明されるように、フレキシブル複信、および／またはアップリンク制御データ送信への関係する変更のためにＵＥ３０２（および／または１つまたは複数追加のＵＥ）を構成するためのとともに動作するか、またはさもなければ実装し得る。たとえば、通信構成要素３３０に関係する様々な機能は、１つまたは複数のプロセッサ３５３によって実装されるか、またはさもなければ実行され得、一態様では、単一のプロセッサによって実行され得、他の態様では、上記で説明したように、機能のうちの異なるものは２つまたはそれ以上の異なるプロセッサの組合せによって実行され得る。一例では、１つまたは複数のプロセッサ３５３および／またはメモリ３５５は、ＵＥ３０２の１つまたは複数のプロセッサ３０３および／またはメモリ３０５に関して上記の例に記載されているように構成され得ることを諒解されたい。
【００４６】
[0055]一例では、１つまたは複数のプロセッサ３５３および／またはメモリ３５５は、通信構成要素３３０またはそれの副構成要素によって定義されたアクションまたは動作を実行し得る。たとえば、１つまたは複数のプロセッサ３５３および／またはメモリ３５５は、ＵＥから通信を受信するために構成されたアップリンク周波数帯域上でフレキシブル複信を構成するためのフレキシブル複信構成構成要素３３２によって定義されたアクションまたは動作を実行し得る。一態様では、たとえば、フレキシブル複信構成構成要素３３２は、ハードウェア（たとえば、１つまたは複数のプロセッサ３５３の１つまたは複数のプロセッサモジュール）、および／あるいはメモリ３５５に記憶され、本明細書で説明される特別に構成されたフレキシブル複信構成動作を実行するために１つまたは複数のプロセッサ３５３のうちの少なくとも１つによって実行可能なコンピュータ可読コードまたは命令を含み得る。さらに、たとえば、１つまたは複数のプロセッサ３５３および／またはメモリ３５５は、フレキシブル複信をアクティブにするようにとの（たとえば、１つまたは複数のＵＥへの）指示を送信するためのインジケータ送信構成要素３３４によって定義されたアクションまたは動作を随意に実行し得る。一態様では、たとえば、インジケータ送信構成要素３３４は、ハードウェア（たとえば、１つまたは複数のプロセッサ３５３の１つまたは複数のプロセッサモジュール）、および／あるいはメモリ３５５に記憶され、本明細書で説明される特別に構成されたインジケータ送信動作を実行するために１つまたは複数のプロセッサ３５３のうちの少なくとも１つによって実行可能なコンピュータ可読コードまたは命令を含み得る。
【００４７】
[0056]さらに、たとえば、１つまたは複数のプロセッサ３５３および／またはメモリ３５５は、フレキシブル複信のために構成されたアップリンク周波数帯域上でアップリンク制御データを送信するようにＵＥを構成するための構成構成要素３３６によって定義されたアクションまたは動作を随意に実行し得る。一態様では、たとえば、構成構成要素３３６は、ハードウェア（たとえば、１つまたは複数のプロセッサ３５３の１つまたは複数のプロセッサモジュール）、および／あるいはメモリ３５５に記憶され、本明細書で説明される特別に構成された構成動作を実行するために１つまたは複数のプロセッサ３５３のうちの少なくとも１つによって実行可能なコンピュータ可読コードまたは命令を含み得る。さらに、たとえば、１つまたは複数のプロセッサ３５３および／またはメモリ３５５は、レガシーＵＥ（たとえば、フレキシブル複信をサポートしないＵＥ）からの接続要求を拒否するためのレガシーＵＥ拒否構成要素３３８によって定義されたアクションまたは動作を随意に実行し得る。一態様では、たとえば、レガシーＵＥ拒否構成要素３３８は、ハードウェア（たとえば、１つまたは複数のプロセッサ３５３の１つまたは複数のプロセッサモジュール）、および／あるいはメモリ３５５に記憶され、本明細書で説明される特別に構成されたレガシーＵＥ拒否動作を実行するために１つまたは複数のプロセッサ３５３のうちの少なくとも１つによって実行可能なコンピュータ可読コードまたは命令を含み得る。
【００４８】
[0057]トランシーバ３０９、３５９は、１つまたは複数のアンテナ、ＲＦフロントエンド、１つまたは複数の送信機、および１つまたは複数の受信機を通してワイヤレス信号を送信および受信するように構成され得ることを諒解されたい。一態様では、トランシーバ３０９、３５９は、ＵＥ３０２および／または基地局３０４がある周波数において通信することができるように、指定された周波数において動作するように同調させられ得る。一態様では、１つまたは複数のＣＣにわたる関係するアップリンク通信チャネルまたはダウンリンク通信チャネル上で、アップリンク信号および／またはダウンリンク信号を通信するために、構成、通信プロトコルなどに基づいて指定された周波数および電力レベルにおいて動作するように、１つまたは複数のプロセッサ３０３がトランシーバ３０９を構成し得、および／または１つまたは複数のプロセッサ３５３がトランシーバ３５９を構成し得る。
【００４９】
[0058]一態様では、トランシーバ３０９、３５９は、トランシーバ３０９、３５９を使用して送信および受信されるデジタルデータを処理するように（たとえば、図示されていないマルチバンドマルチモードモデムを使用して）複数の帯域中で動作することができる。一態様では、トランシーバ３０９、３５９は、マルチバンドであり、特定の通信プロトコルのための複数の周波数帯域をサポートするように構成され得る。一態様では、トランシーバ３０９、３５９は、複数の動作ネットワークおよび通信プロトコルをサポートするように構成され得る。したがって、たとえば、トランシーバ３０９、３５９は、指定されたモデム構成に基づいて信号の送信および／または受信を可能にし得る。
【００５０】
[0059]図４は、フレキシブル複信を使用して（たとえば、基地局によって）ＵＥと通信するための例示的な方法４００を示す。図５は、フレキシブル複信を使用して（たとえば、ＵＥによって）セルと通信するための例示的な方法５００を示す。
【００５１】
[0060]方法４００は、ブロック４０２において、ＵＥとのアップリンク周波数帯域とダウンリンク周波数帯域とを分離するために、ＦＤＤを使用してＵＥと通信することを含むことができる。一態様では、たとえば、（１つまたは複数の）プロセッサ３５３、メモリ３５５、および／またはトランシーバ３５９とともに、通信構成要素３３０は、アップリンク周波数帯域とダウンリンク周波数帯域とを分離するために、ＦＤＤを使用してＵＥ（たとえば、ＵＥ３０２）と通信することができる。一例では、たとえば、（１つまたは複数の）プロセッサ３５３、メモリ３５５、および／またはトランシーバ３５９とともに、構成構成要素３３６は、周波数において分離されたダウンリンク周波数帯域とアップリンク周波数帯域とを使用して通信するようにＵＥ３０２を構成することができる。特定の例では、構成構成要素３３６は、ＬＴＥ−ＦＤＤを使用して通信するようにＵＥ３０２を構成することができる。
【００５２】
[0061]方法５００は、ブロック５０２において、アップリンク周波数帯域とダウンリンク周波数帯域とを分離するために、ＦＤＤを使用してセルと通信することを含む。一態様では、たとえば、（１つまたは複数の）プロセッサ３０３、メモリ３０５、および／またはトランシーバ３０９とともに、通信構成要素３１０は、アップリンク周波数帯域とダウンリンク周波数帯域とを分離するために、ＦＤＤを使用してセル（たとえば、基地局３０４によって与えられるセル）と通信することができる。一例では、構成受信構成要素３１６は、アップリンク周波数帯域上でアップリンク通信を送信するためにセル中の基地局３０４から構成を受信し、ダウンリンク周波数帯域上でダウンリンク通信を受信することを予想することができる。特定の例では、構成受信構成要素３１６は、たとえば、図２に示されている少なくともＦＤＤ  ＤＬ２０２とＦＤＤ  ＵＬ２０４とに従って通信することを含み得る、ＬＴＥ−ＦＤＤを使用して通信するための構成を受信することができる。
【００５３】
[0062]方法４００は、ブロック４０４において、アップリンク周波数帯域を、ＵＥにダウンリンク通信を送信するための複数のダウンリンクサブフレームと、ＵＥからアップリンク通信を受信するための複数のアップリンクサブフレームとに分離するために、ＴＤＤを使用してＵＥと通信することをも含むことができる。一態様では、たとえば、（１つまたは複数の）プロセッサ３５３、メモリ３５５、および／またはトランシーバ３５９とともに、通信構成要素３３０は、アップリンク周波数帯域を、ＵＥにダウンリンク通信を送信するための複数のダウンリンクサブフレームと、ＵＥからアップリンク通信を受信するための複数のアップリンクサブフレームとに分離するために、ＴＤＤを使用してＵＥ（たとえば、ＵＥ３０２）と通信することができる。たとえば、これは、たとえば、（１つまたは複数の）プロセッサ３５３、メモリ３５５、および／またはトランシーバ３５９とともに、フレキシブル複信構成構成要素３３２が、１つまたは複数のイベントを検出することに基づき得る、フレキシブル複信をアクティブにすることを決定することに基づき得る。１つまたは複数のイベントは、ダウンリンク帯域幅需要の増加（たとえば、ダウンリンク要求の増加、送信されるべきダウンリンクパケットの増加、ダウンリンクバッファ利用の増加など）を決定することに関係するイベントを含み得る。いずれの場合も、フレキシブル複信構成構成要素３３２はフレキシブル複信を構成することができ、その結果、通信構成要素３３０は、ＴＤＤを使用してアップリンク周波数帯域をアップリンクサブフレームとダウンリンクサブフレームとに分離することになる。
【００５４】
[0063]方法５００は、同様に、ブロック５０４において、アップリンク周波数帯域を、セルからダウンリンク通信を受信するための複数のダウンリンクサブフレームと、セルにアップリンク通信を送信するための複数のアップリンクサブフレームとに分離するために、ＴＤＤを使用してセルと通信することを含むことができる。一態様では、たとえば、（１つまたは複数の）プロセッサ３０３、メモリ３０５、および／またはトランシーバ３０９とともに、通信構成要素３１０は、アップリンク周波数帯域を、セルからダウンリンク通信を受信するための複数のダウンリンクサブフレームと、セルにアップリンク通信を送信するための複数のアップリンクサブフレームとに分離するために、ＴＤＤを使用してセル（たとえば、基地局３０４によって与えられるセル）と通信することができる。たとえば、通信構成要素３１０は、この点について、たとえば、（１つまたは複数の）プロセッサ３０３、メモリ３０５、および／またはトランシーバ３０９とともに、フレキシブル複信構成構成要素３１２が、１つまたは複数のイベントを検出すること、および／または（たとえば、次のフレーム中で、スケジュールまたは周期性に従ってなど）フレキシブル複信をアクティブにするようにとの指示を受信することに基づき得る、フレキシブル複信をアクティブにすることを決定することに基づいて通信し得る。いずれの場合も、フレキシブル複信構成構成要素３１２はフレキシブル複信を構成することができ、その結果、通信構成要素３１０は、（たとえば、ＬＴＥにおけるあるＴＤＤ構成を示すことによって）基地局３０４によって構成され得る、ＴＤＤを使用する、アップリンク周波数帯域のアップリンクサブフレームとダウンリンクサブフレームとへの分離に基づいて基地局３０４と通信することになる。
【００５５】
[0064]方法４００は、ブロック４０６において、アップリンク周波数帯域上でＴＤＤを実装するためのインジケータをＵＥに送信することを随意に含み得る。一態様では、たとえば、（１つまたは複数の）プロセッサ３５３、メモリ３５５、および／またはトランシーバ３５９とともに、インジケータ送信構成要素３３４は、アップリンク周波数帯域上でＴＤＤを実装するためのインジケータをＵＥ（たとえば、ＵＥ３０２）に送信することができる。フレキシブル複信は、本明細書では、アップリンク周波数帯域上でＴＤＤを実装することと呼ばれることもある。たとえば、ブロック４０６においてインジケータを送信することは、ブロック４０８において、物理レイヤ制御チャネル中のビットインジケータ、メディアアクセス制御（ＭＡＣ）制御要素（ＣＥ）、無線リソース制御（ＲＲＣ）信号、またはシステム情報ブロック（ＳＩＢ）のうちの少なくとも１つにおいて、インジケータを送信することを含み得る。たとえば、インジケータは、基地局３０４とＵＥ３０２との間の物理レイヤ制御チャネル（たとえば、物理ダウンリンク制御チャネル（ＰＤＣＣＨ）、拡張ＰＤＣＣＨ（ｅＰＤＣＣＨ）など）中のビットインジケータを含み得る。ビットインジケータは、たとえば、フレキシブル複信をアクティブにすべきであるのか非アクティブにすべきであるのかを指定し得る。別の例では、フレキシブル複信をアクティブ／非アクティブにすることに関する追加情報（たとえば、アップリンク周波数帯域のために利用すべきＴＤＤフォーマット、フレキシブル複信をそれの上で実装すべきサブフレームの数など）を示すために、より大きいサイズのインジケータが使用され得る（たとえば、２またはそれ以上のビット）。さらに、一例では、インジケータは、構成信号（たとえば、ＲＲＣ接続再構成メッセージ）中でＵＥ３０２に送信され得るＭＡＣ  ＣＥ、ＲＲＣ信号、ＳＩＢなどを含み得る。たとえば、インジケータ送信構成要素３３４は、約１０ミリ秒（ｍｓ）間隔でＰＤＣＣＨ／ｅＰＤＣＣＨ中で、約４０ｍｓ間隔でＭＡＣ  ＣＥ信号中で、および／または約８０ｍｓ間隔でＲＲＣ信号中でインジケータを送信することができる。とはいえ、いくつかの例では、実質的に任意のシグナリングが、インジケータを通信するために使用され得る。いずれの場合も、インジケータを送信することに基づいて、基地局３０４は、ブロック４０６で説明されたようにＵＥ３０２とのフレキシブル複信を実装することができる。別の例では、基地局３０４は、基地局３０４との初期構成中の基地局３０４へのシグナリングにおいてＵＥ３０２によって示され得る、フレキシブル複信をサポートするためのＵＥ３０２の能力にさらに基づいて、フレキシブル複信を実装することができる。
【００５６】
[0065]方法５００は、同様に、ブロック５０６において、アップリンク周波数帯域上でＴＤＤを実装するためのインジケータをセルから受信することを随意に含むことができる。一態様では、たとえば、（１つまたは複数の）プロセッサ３０３、メモリ３０５、および／またはトランシーバ３０９とともに、インジケータ受信構成要素３１４は、アップリンク周波数帯域上でＴＤＤを実装する（たとえば、アップリンク周波数帯域上でフレキシブル複信を実装する）ために、セルから（たとえば、基地局３０４のセルから）インジケータを受信することができる。これは、ブロック５０８において、物理レイヤ制御チャネル中のビットインジケータ、ＭＡＣ  ＣＥ、ＲＲＣ信号、またはＳＩＢのうちの少なくとも１つにおいて、インジケータを受信することを含み得る。一態様では、たとえば、（１つまたは複数の）プロセッサ３０３、メモリ３０５、および／またはトランシーバ３０９とともに、インジケータ受信構成要素３１４は、物理レイヤ制御チャネル（たとえば、ＰＤＣＣＨ、ｅＰＤＣＣＨなど）、セルからの信号中のＭＡＣ  ＣＥ、セルからのＲＲＣ信号（たとえば、ＲＲＣ接続再構成メッセージ）、セルからブロードキャストされたＳＩＢなどにおいてインジケータを受信することができる。いずれの場合も、インジケータを受信することに基づいて、ＵＥ３０２は、ブロック５０６で説明されたようにセルとのフレキシブル複信を実装することができる。
【００５７】
[0066]方法４００は、ブロック４１０において、アップリンク周波数帯域においてＡＣＫ／ＮＡＣＫを送信するための複数のアップリンクサブフレームのうちの少なくとも１つを示す基準ＴＤＤ構成をＵＥに送信することをも随意に含むことができる。一態様では、たとえば、（１つまたは複数の）プロセッサ３５３、メモリ３５５、および／またはトランシーバ３５９とともに、構成構成要素３３６は、アップリンク周波数帯域においてＡＣＫ／ＮＡＣＫを送信するための複数のアップリンクサブフレームのうちの少なくとも１つを示す基準ＴＤＤ構成をＵＥ（たとえば、ＵＥ３０２）に送信することができる。たとえば、構成構成要素３３６は、ＲＲＣまたは他の信号、ＳＩＢなど中でＵＥ３０２に基準ＴＤＤ構成を送信し得る。説明されたように、アップリンク周波数帯域は、アップリンク通信のために割り振られたサブフレームと、ダウンリンク通信のために割り振られたサブフレームとを含むように時分割複信され得る。いくつかの例では、従来のＡＣＫ／ＮＡＣＫ構成は、ＴＤＤ構成におけるダウンリンクサブフレームに関連し得るＡＣＫ／ＮＡＣＫをＵＥ３０２が送信するためのサブフレーム（たとえば、フレキシブル複信のために構成されたフレーム内の固定サブフレーム）を指定し得る可能性がある。したがって、構成構成要素３３６は、ＵＥ３０２によってＡＣＫ／ＮＡＣＫフィードバックを送信するための１つまたは複数のアップリンクサブフレームを示すことができ、および／またはＴＤＤ構成を示すことができる基準ＴＤＤ構成をＵＥ３０２に送信し、ＵＥ３０２は、アップリンク周波数帯域上でＡＣＫ／ＮＡＣＫフィードバックを送信するためのＴＤＤ構成における適切なアップリンクサブフレーム（たとえば、ＡＣＫ／ＮＡＣＫがそれのために報告されている、ダウンリンク周波数帯域上の、またはフレキシブル複信におけるアップリンク周波数帯域上のダウンリンクサブフレーム中の、関連するダウンリンクサブフレームから少なくとも４サブフレームのところにあるアップリンクサブフレーム）を決定することができる。
【００５８】
[0067]方法５００は、同様に、ブロック５１０において、アップリンク周波数帯域においてセルにＡＣＫ／ＮＡＣＫを送信するための複数のアップリンクサブフレームのうちの少なくとも１つを示す基準ＴＤＤ構成をセルから受信することを随意に含み得る。一態様では、たとえば、（１つまたは複数の）プロセッサ３０３、メモリ３０５、および／またはトランシーバ３０９とともに、構成受信構成要素３１６は、アップリンク周波数帯域においてセルにＡＣＫ／ＮＡＣＫを送信するための複数のアップリンクサブフレームのうちの少なくとも１つを示す基準ＴＤＤ構成をセルから受信することができる。説明されたように、一例では、基準ＴＤＤ構成は、（たとえば、ダウンリンクまたはアップリンク周波数帯域上で）１つまたは複数の関連するダウンリンクサブフレームのためのＡＣＫ／ＮＡＣＫを送信するためのアップリンクサブフレーム、および／またはアップリンクサブフレームのためのＴＤＤ構成情報を指定し得る。後者の場合、たとえば、通信構成要素３１０は、ダウンリンク周波数帯域および／またはアップリンク周波数帯域上の関連するダウンリンクサブフレームのためのＡＣＫ／ＮＡＣＫを送信するための１つまたは複数のアップリンクサブフレーム（たとえば、関連するダウンリンクサブフレームから少なくとも４サブフレームのところにあるアップリンク周波数帯域上の次のアップリンクサブフレーム）を決定することができる。たとえば、通信構成要素３１０は、指定されたまたは決定されたアップリンクサブフレームに従ってＡＣＫ／ＮＡＣＫフィードバックを送信することができ、通信構成要素３３０は、１つまたは複数の関連するダウンリンク通信をＵＥ３０２に再送信すべきかどうかを決定するためのＡＣＫ／ＮＡＣＫフィードバックを受信および処理することができる。
【００５９】
[0068]ＡＣＫ／ＮＡＣＫを送信することの特定の例が図８に示されており、図８は、本明細書で説明される態様による、例示的なＦＤＤ構成８００を示す。ＦＤＤ構成８００は、ＦＤＤ  ＤＬ８０２とＦＤＤ  ＵＬ８０４とを含み、これは、アップリンク周波数帯域上でＤＬトラフィックをオフロードすることを可能にするために、ＴＤＤを使用してダウンリンクサブフレームとアップリンクサブフレームとにさらに割り振られる。この例では、構成構成要素３３６は、アップリンクサブフレーム８０６中でＡＣＫ／ＮＡＣＫを送信するようにＵＥ３０２を構成することができ、ここで、ＡＣＫ／ＮＡＣＫは、ダウンリンク周波数帯域８０２（この例では、１０個のサブフレーム）と、アップリンク周波数帯域８０４（この例では、９つのサブフレーム）との上の複数の前のダウンリンクサブフレームのためのＡＣＫ／ＮＡＣＫフィードバックを組み合わせることに対応することができる。たとえば、ダウンリンクサブフレームは、アップリンクサブフレーム８０６の少なくとも４サブフレーム（または別の数のサブフレーム）前にある（およびアップリンクサブフレーム８０８など、前のアップリンクサブフレーム中で報告されなかった）サブフレームであり得る。このＡＣＫ／ＮＡＣＫ方式は、フレキシブル複信のために構成されるとき、アップリンク周波数帯域８０４上で使用される実質的にどんなＴＤＤフォーマットのためにも同様に適用され得ることを諒解されたい。その上、たとえばＬＴＥでは、物理アップリンク制御チャネル（ＰＵＣＣＨ）フォーマット３は、アップリンク周波数帯域８０４の第１のアップリンクサブフレーム中でのＡＣＫ／ＮＡＣＫフィードバック送信を構成するために使用され得る。これは、ＬＴＥにおいて現在使用されるＨＡＲＱタイムラインとは異なるＨＡＲＱタイムラインであり得ることを諒解されたい。
【００６０】
[0069]いずれの場合も、たとえば、構成構成要素３３６は、基準ＴＤＤ構成においてアップリンクサブフレーム８０６上で特定のサブフレームのためのＡＣＫ／ＮＡＣＫが生じるべきであることをＵＥ３０２に示すことができる。したがって、構成受信構成要素３１６は、基準ＴＤＤ構成を受信し、アップリンクサブフレーム８０６において特定のダウンリンクサブフレームのためのＡＣＫ／ＮＡＣＫを送信することを決定することができる。別の例では、構成構成要素３３６は、フレキシブル複信のためのＴＤＤ構成としての基準ＴＤＤ構成（たとえば、サブフレーム２がアップリンクサブフレームであるべきであること）を示すことができる。構成受信構成要素３１６はこの構成を受信することができ、通信構成要素３１０は、ＴＤＤ構成に基づいて（たとえば、各アップリンクサブフレームについて、アップリンクサブフレーム８０６の、少なくとも４サブフレームまたは別の数のサブフレーム前にあるダウンリンクサブフレームを決定することに基づいて）、アップリンクサブフレーム８０６においてＡＣＫ／ＮＡＣＫを送信することを決定することができる。
【００６１】
[0070]追加または代替の例では、方法４００は、ブロック４１２において、複数のダウンリンクサブフレームのうちの少なくとも１つのアップリンク周波数部分上でＵＥのための制御データをスケジュールすることを随意に含み得る。一態様では、たとえば、（１つまたは複数の）プロセッサ３５３、メモリ３５５、および／またはトランシーバ３５９とともに、構成構成要素３３６は、複数のダウンリンクサブフレームのうちの少なくとも１つのアップリンク周波数部分上でＵＥのための制御データをスケジュールすることができる。たとえば、フレキシブル複信のために構成されたアップリンク周波数帯域上の複数のダウンリンクサブフレームは、アップリンク通信のために割り振られた周波数帯域の（１つまたは複数の）部分と、ダウンリンク通信のために割り振られた周波数帯域の別個の（１つまたは複数の）部分とにさらに分離され得る。たとえば、これは、サブフレームが、アップリンク通信のために構成されたのか、ダウンリンク通信のために構成されたのかにかかわらず、周波数帯域のアップリンク部分を使用してＡＣＫ／ＮＡＣＫフィードバックおよび／または他の制御データをレガシーＵＥが送信することを可能にすることができる。したがって、構成構成要素３３６は、フレキシブル複信がアクティブにされるかどうかにかかわらず、（たとえば、ＬＴＥにおけるダウンリンク周波数帯域またはアップリンク周波数帯域上の関連するダウンリンク送信から４サブフレームのリソースにおいて）レガシー（および／または非レガシー）ＵＥのためのＡＣＫ／ＮＡＣＫフィードバックリソースをスケジュールすることができる。
【００６２】
[0071]この点について、方法５００は、ブロック５１２において、複数のダウンリンクサブフレームのうちの少なくとも１つのアップリンク部分上でアップリンク周波数帯域において制御データを送信することをも随意に含み得る。たとえば、たとえば、（１つまたは複数の）プロセッサ３０３、メモリ３０５、および／またはトランシーバ３０９とともに、構成受信構成要素３１６は、ＡＣＫ／ＮＡＣＫフィードバックを送信するためのスケジュールされたリソースを基地局３０４から受信することができ、リソースは、アップリンク周波数帯域におけるダウンリンク通信のために構成されたサブフレームのアップリンク部分中にあり得る。いずれの場合も、たとえば、（１つまたは複数の）プロセッサ３０３、メモリ３０５、および／またはトランシーバ３０９とともに、制御データ送信構成要素３１８は、複数のダウンリンクサブフレームのうちの少なくとも１つのアップリンク部分上でアップリンク周波数帯域において制御データを送信することができる。
【００６３】
[0072]この点についてＡＣＫ／ＮＡＣＫを送信することの特定の例が図９に示されており、図９は、フレーム９０２中でフレキシブル複信のために構成され（ここで、時間が水平方向に示されている）、フレーム９０４中でアップリンク通信のために構成された、例示的なアップリンク周波数帯域９００（ここで、周波数が垂直方向に示されている）を示す。フレーム９０４では、各サブフレームは、周波数帯域の制御データ領域９１０（たとえば、ＬＴＥにおけるＰＵＣＣＨ領域）と、周波数帯域のデータ通信領域９１２（たとえば、ＬＴＥにおける物理アップリンク共有チャネル（ＰＵＳＣＨ）領域）とを含み、ここで、制御データ領域９１０は、アップリンク周波数帯域上で基地局３０４に制御データを通信するために利用され、データ通信領域９１２は、アップリンク周波数帯域上で基地局３０４に通常データトラフィックを通信するために利用される。説明されたように、基地局３０４は、ＵＥ３０２への制御データおよび／またはデータ通信リソースをスケジュールし得る。
【００６４】
[0073]しかしながら、フレキシブル複信フレーム９０２も、サブフレームが、アップリンク通信のために構成されたのか、ダウンリンク通信のために構成されたのか（または、上記で説明されたスペシャルサブフレームであるのか）にかかわらず、各サブフレーム中で制御データ領域９１０を含むことができる。したがって、制御データ領域９１０は、ＡＣＫ／ＮＡＣＫおよび／または他の制御データを送信するために各サブフレーム中で使用され得る。これは、場合によっては、前のサブフレーム中で受信されたダウンリンク通信に関係する制御データを送信するために、各サブフレーム中での制御データ領域の存在に依存するレガシーＵＥをサポートすることを可能にすることができる。したがって、構成構成要素３３６は、フレキシブル複信のために構成されたサブフレームの制御データ領域９１０中で制御データを送信するようにレガシーＵＥをスケジュールし得る。構成構成要素３３６は、同じサブフレーム中でＰＵＣＣＨを使用してＴＤＤ  ＵＥをスケジュールすることを回避し得る。さらに、フレキシブル複信フレーム９０２では、可能性があるシステム間干渉（たとえば、制御データ領域９１０上で送信される信号から、データ通信領域９１２上で送信される信号への漏れ、および／またはその逆）の影響を緩和するために、ガード帯域領域９１４が周波数帯域に設けられ得る。一例では、構成構成要素３３６は、（たとえば、システム情報ブロック（ＳＩＢ）または無線リソース制御（ＲＲＣ）シグナリングなどを介して）ＵＥ３０２へのシグナリングにおいて、ガード帯域に関係する１つまたは複数のパラメータ（たとえば、ロケーション、サイズなど）を通信することができる。たとえば、構成受信構成要素３１６は、ガード帯域に関係する１つまたは複数のパラメータを受信することができ、したがって、ガード帯域に関係する１つまたは複数のパラメータに少なくとも部分的に基づいて、データ通信領域９１２中の信号を処理し、および／または制御データ領域９１０中での送信のための信号を生成することができる。
【００６５】
[0074]図６は、フレキシブル複信を使用してＵＥと通信するための別の例示的な方法６００を示す。図７は、フレキシブル複信を使用してセルと通信するための別の例示的な方法７００を示す。方法６００は、ＵＥと通信する際にフレキシブル複信を実装するための、上記で図４を参照しながら説明された、ブロック４０２、ブロック４０４、ブロック４０６、および／またはブロック４０８を含むことができる。方法７００は、同様に、セルと通信する際にフレキシブル複信を実装するための、上記で図５を参照しながら説明された、ブロック５０２、ブロック５０４、ブロック５０６、および／またはブロック５０８を含むことができる。方法６００は、ブロック６０２において、ＣＳＩフィードバックを送信するための複数のアップリンクサブフレームのうちの少なくとも１つを示す構成をＵＥに送信することをも随意に含むことができる。一態様では、たとえば、（１つまたは複数の）プロセッサ３５３、メモリ３５５、および／またはトランシーバ３５９とともに、構成構成要素３３６は、ＣＳＩフィードバックを送信するための複数のアップリンクサブフレームのうちの少なくとも１つを示す構成をＵＥ（たとえば、ＵＥ３０２）に送信することができる。たとえば、これは、ＵＥ３０２に送信されたＲＲＣまたは他の信号、ＳＩＢなどを含むことができる。構成は、ＣＳＩがそれの内でＵＥ３０２によって周期的に送信され得る、各フレーム中のまたはフレームのセット上のサブフレームを示すことができ、構成は、アップリンク周波数帯域がフレキシブル複信のために構成された場合でも、アップリンク周波数帯域上でのアップリンク通信のために構成されたそれサブフレームを示し得る。
【００６６】
[0075]方法７００は、同様に、ブロック７０２において、ＣＳＩフィードバックを送信するための複数のアップリンクサブフレームのうちの少なくとも１つを示す構成をセルから受信することを含むことができる。一態様では、たとえば、（１つまたは複数の）プロセッサ３０３、メモリ３０５、および／またはトランシーバ３０９とともに、構成受信構成要素３１６は、ＣＳＩフィードバックを送信するための複数のアップリンクサブフレームのうちの少なくとも１つを示す構成をセル（たとえば、基地局３０４によって与えられるセル）から（たとえば、ＲＲＣまたは他の信号、ＳＩＢなど中で）受信することができる。この構成は、たとえば、周期ＣＳＩフィードバックに関係することができ、制御データ送信構成要素３１８は、フレキシブル複信がアクティブにされるかどうかにかかわらず、１つまたは複数のフレーム中の少なくとも１つのアップリンクサブフレームにおいて、ＣＳＩフィードバックを周期的に送信することができる。別の例では、制御データ送信構成要素３１８は、少なくとも、フレキシブル複信（またはリソースの他のＴＤＤ分離）がそれの上で実装されるフレーム中で、少なくともこの周期ＣＳＩフィードバックを送信することを控えることができる。
【００６７】
[0076]非周期ＣＳＩフィードバックを報告するために、方法７００は、ブロック７０４において、非周期タイムラインに従ってセルにＣＳＩフィードバックを報告することを随意に含み得る。一態様では、たとえば、（１つまたは複数の）プロセッサ３０３、メモリ３０５、および／またはトランシーバ３０９とともに、制御データ送信構成要素３１８は、非周期タイムラインに従ってセル（たとえば、基地局３０４によって与えられるセル）にＣＳＩフィードバックを報告することができる。たとえば、制御データ送信構成要素３１８は、アップリンク周波数帯域が、関連するフレーム中でフレキシブル複信のために構成されたかどうかに応じて、異なるタイムラインを利用することができる。たとえば、フレームが、フレキシブル複信のために構成されず、したがってアップリンク通信のために構成された場合、制御データ送信構成要素３１８は、ＦＤＤ非周期ＣＳＩフィードバックのタイムラインに基づいて、ＣＳＩフィードバックを送信することができる。たとえば、フレームがフレキシブル複信のために構成された場合、たとえば、制御データ送信構成要素３１８は、上記で説明されたように、構成受信構成要素３１６によって受信され得るＴＤＤダウンリンク基準構成のタイムラインに基づいて、ＣＳＩフィードバックを送信することができる。
【００６８】
[0077]その上、一例では、基地局３０４は、レガシーＵＥについての考慮とともにフレキシブル複信をアクティブにすることができる。一例では、上記で説明されたように、基地局３０４は、アップリンク周波数帯域上で構成されたダウンリンクサブフレーム（およびスペシャルサブフレーム）が、制御データを送信するためのアップリンク周波数部分を有する、上記で図９を参照しながら説明されたフレーム構造（または同様のフレーム構造）を採用することができる。したがって、（たとえば、ＬＴＥ−ＦＤＤにおいて）レガシーＵＥは、構成されたタイムラインに従ってＡＣＫ／ＮＡＣＫフィードバックを依然として送信することができ、無線リソース監視（ＲＲＭ：radio resource monitoring）、無線リンク監視（ＲＬＭ：radio link monitoring）などの測定を実行することなどを行うことができる。
【００６９】
[0078]別の例では、レガシーＵＥを扱うために、方法６００は、ブロック６０４において、１つまたは複数のＵＥがフレキシブル複信をサポートしないと決定することに少なくとも部分的に基づいて、１つまたは複数のＵＥからの通信要求を拒否することを含むことができる。一態様では、たとえば、（１つまたは複数の）プロセッサ３５３、メモリ３５５、および／またはトランシーバ３５９とともに、レガシーＵＥ拒否構成要素３３８は、１つまたは複数のＵＥがフレキシブル複信をサポートしないと決定することに少なくとも部分的に基づいて、１つまたは複数のＵＥからの通信要求を拒否することができる。これは、フレキシブル複信を利用しない他の基地局に関連付けることを１つまたは複数のＵＥに強制することができる。たとえば、レガシーＵＥ拒否構成要素３３８は、（たとえば、物理制御チャネルビットインジケータ、ＭＡＣ  ＣＥ、ＲＲＣ信号、ＳＩＢ、ＵＥ能力などを介して）フレキシブル複信のためにＵＥを構成することを試みることに少なくとも部分的に基づいて、１つまたは複数のＵＥがフレキシブル複信をサポートするかどうかを決定することができ、ＵＥが有効な応答を送らない場合、レガシーＵＥ拒否構成要素３３８はＵＥ３０２との接続を終了することができる。
【００７０】
[0079]さらに、フレキシブル複信を構成する際に、アップリンク周波数帯域上でダウンリンクサブフレームとアップリンクサブフレームとの間で切り替えるための時間をＵＥ３０２に与えるために、ガード切替え期間が与えられ得る。一例では、基地局３０４は、（たとえば、サブフレームあるいは１つまたは複数の隣接するサブフレーム内に）ガード期間を構成することができ、したがって、方法６００は、ブロック６０６において、複数のダウンリンクサブフレームを使用して通信することと、複数のアップリンクサブフレームを使用して通信することとの間で切り替えるためのガード期間の構成を、複数のダウンリンクサブフレームのうちの１つまたは複数中でＵＥに送信することを随意に含み得る。一態様では、たとえば、（１つまたは複数の）プロセッサ３５３、メモリ３５５、および／またはトランシーバ３５９とともに、構成構成要素３３６は、複数のダウンリンクサブフレームを使用して通信することと、複数のアップリンクサブフレームを使用して通信することとの間で切り替えるためのガード期間の構成を、複数のダウンリンクサブフレームのうちの１つまたは複数中でＵＥに送信することができる。たとえば、構成は、切替えがその中で生じるべきであるダウンリンクサブフレーム、ガード切替え期間の長さ（たとえば、１または２シンボルなど、ＯＦＤＭシンボルの数）などを示すことができる。たとえば、構成構成要素３３６（または通信構成要素３３０）は、ＲＲＣまたは他の信号、ＳＩＢなどを使用してＵＥ３０２に構成を送信することができる。
【００７１】
[0080]したがって、一例では、方法７００は、ブロック７０８において、複数のダウンリンクサブフレームを使用して通信することと、複数のアップリンクサブフレームを使用して通信することとの間で切り替えるためのガード期間の構成をセルから受信することをも随意に含むことができる。一態様では、たとえば、（１つまたは複数の）プロセッサ３０３、メモリ３０５、および／またはトランシーバ３０９とともに、構成受信構成要素３１６は、複数のダウンリンクサブフレームを使用して通信することと、複数のアップリンクサブフレームを使用して通信することとの間で切り替えるためのガード期間の構成をセル（たとえば、基地局３０４のセル）から受信することができる。説明されたように、構成は、切替えガード期間に関係するシンボルの数または他の持続時間、切替えがその間に生じるべきであるダウンリンクサブフレームの指示などを示すことができる。したがって、通信構成要素３１０は、構成された切替えガード期間中に基地局３０４から通信を受信することを予想しない場合、その期間中に受信から送信にアンテナを切り替えることができる。
【００７２】
[0081]別の例では、基地局３０４は、ＵＥ３０２に通知することなしに切替えガード期間を実装し得る。この例では、方法６００は、ブロック６０８において、切替えガード期間に対応しない複数のダウンリンクサブフレームのうちの１つまたは複数の一部分においてＵＥのための制御データ通信をスケジュールすることを随意に含み得る。一態様では、たとえば、（１つまたは複数の）プロセッサ３５３、メモリ３５５、および／またはトランシーバ３５９とともに、構成構成要素３３６は、切替えガード期間に対応しない複数のサブフレームのうちの１つまたは複数の部分においてＵＥ（たとえば、ＵＥ３０２）のための制御データ通信をスケジュールし得る。説明されたように、一例では、基地局３０４は、ダウンリンクサブフレームの端部にある１つまたは２つのＯＦＤＭシンボル中で切替えガード期間を与え得、したがって、構成構成要素３３６は、切替えガード期間に対応する１つまたは２つのＯＦＤＭシンボル以外のダウンリンクサブフレームの他のシンボルにおいて、（たとえば、チャネル品質インジケータ（ＣＱＩ）、ＡＣＫ／ＮＡＣＫ、サウンディング基準信号（ＳＲＳ）などについての）ＵＥ３０２のための制御データ通信を構成し得る。
【００７３】
[0082]図１０は、処理システム１０１４を採用する装置１０００のためのハードウェア実装形態の一例を示す概念図である。いくつかの例では、処理システム１０１４は、図１を参照しながら説明された基地局１０５、モバイルデバイス１１５、ＡＰ１２０など、図３を参照しながら説明されたＵＥ３０２、基地局３０４などの一例などであり得る。この例では、処理システム１０１４は、バス１００２によって概略的に表されるバスアーキテクチャを用いて実装され得る。バス１００２は、処理システム１０１４の特定の適用例および全体的な設計制約に応じて、任意の数の相互接続バスおよびブリッジを含み得る。バス１００２は、プロセッサ１００４によって概略的に表される１つまたは複数のプロセッサ、コンピュータ可読媒体１００６、通信構成要素３１０、および／または通信構成要素３３０（図３）によって概略的に表されるコンピュータ可読媒体を含む様々な回路を互いにリンクし、これらは、それらの様々な構成要素（たとえば、フレキシブル複信構成構成要素３１２、インジケータ受信構成要素３１４、構成受信構成要素３１６、制御データ送信構成要素３１８、フレキシブル複信構成構成要素３３２、インジケータ送信構成要素３３４、構成構成要素３３６、レガシーＵＥ拒否構成要素３３８など）を含むように構成され得、および／または本明細書で説明されるそれらの１つまたは複数の方法またはプロシージャ（たとえば、方法４００（図４）、方法５００（図５）、方法６００（図６）、方法７００（図７）など）を行い得る。一態様では、通信構成要素３１０および／または３３０、ならびに／あるいはそれらの構成要素は、本明細書で説明される機能、方法（たとえば、方法４００（図４）、方法５００（図５）、方法６００（図６）、方法７００（図７）など）、または他の方法を実行するように構成され得る、ハードウェア、ソフトウェア、またはハードウェアとソフトウェアとの組合せを備え得る。
【００７４】
[0083]バス１００２はまた、タイミングソース、周辺機器、電圧調整器、および電力管理回路など、様々な他の回路をリンクし得るが、これらの回路は当技術分野においてよく知られており、したがって、これ以上説明されない。バスインターフェース１００８は、バス１００２とトランシーバ１０１０との間のインターフェースを与える。トランシーバ１０１０は、伝送媒体を介して様々な他の装置と通信するための手段を与える。装置の性質に応じて、ユーザインターフェース１０１２（たとえば、キーパッド、ディスプレイ、スピーカー、マイクロフォン、ジョイスティック）も与えられ得る。
【００７５】
[0084]プロセッサ１００４は、バス１００２を管理することと、コンピュータ可読媒体１００６に記憶されたソフトウェアの実行を含む一般的な処理とを担当する。ソフトウェアは、プロセッサ１００４によって実行されたとき、処理システム１０１４に、特定の装置のための以下で説明される様々な機能を実行させる。コンピュータ可読媒体１００６はまた、ソフトウェアを実行するときにプロセッサ１００４によって操作されるデータを記憶するために使用され得る。いくつかの態様では、通信構成要素３１０、通信構成要素３３０などに関連する機能、方法論、または方法の少なくとも一部分が、プロセッサ１００４および／またはコンピュータ可読媒体１００６によって実行または実装され得る。
【００７６】
[0085]添付の図面に関して上記に記載された詳細な説明は、例示的な実施形態について説明しており、実装され得るまたは特許請求の範囲内に入るすべての実施形態を表すとは限らない。詳細な説明は、説明された技法の理解を与えるための具体的な詳細を含む。ただし、これらの技法は、これらの具体的な詳細なしに実施され得る。いくつかの事例では、説明された実施形態の概念を不明瞭にすることを回避するために、よく知られている構造およびデバイスがブロック図の形式で示されている。
【００７７】
[0086]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７８】
[0087]本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【００７９】
[0088]本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【００８０】
[0089]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ）、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピーディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００８１】
[0090]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【００８２】
[0091]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願の出願当初の特許請求の範囲に記載された発明を付記する。
［Ｃ１］
ワイヤレス通信におけるフレキシブル複信を与えるための方法であって、
セルとのアップリンク周波数帯域とダウンリンク周波数帯域とを分離するために、周波数分割複信（ＦＤＤ）を使用して前記セルと通信することと、
前記アップリンク周波数帯域上で時分割複信（ＴＤＤ）を実装するためのインジケータを前記セルから受信することと、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信することと
を備える、方法。
［Ｃ２］
前記インジケータを受信することが、前記ダウンリンク周波数帯域上で前記セルによって送信された、物理レイヤ制御チャネル中のビットインジケータ、信号のメディアアクセスチャネル（ＭＡＣ）制御要素（ＣＥ）中の、または無線リソース制御（ＲＲＣ）信号中ののうちの少なくとも１つにおいて、前記セルから前記インジケータを受信することを備える、Ｃ１に記載の方法。
［Ｃ３］
前記アップリンク周波数帯域において前記セルに肯定応答（ＡＣＫ）／否定ＡＣＫ（ＮＡＣＫ）を送信するための前記複数のアップリンクサブフレームのうちの少なくとも１つを示す基準ＴＤＤ構成を前記セルから受信することをさらに備える、Ｃ１に記載の方法。
［Ｃ４］
前記基準ＴＤＤ構成を受信することが、システム情報ブロック（ＳＩＢ）において、または無線リソース制御（ＲＲＣ）シグナリングを介して前記基準ＴＤＤ構成を受信することを備える、Ｃ３に記載の方法。
［Ｃ５］
前記複数のダウンリンクサブフレームのうちの少なくとも１つのアップリンク周波数部分上で前記アップリンク周波数帯域において制御データを送信することをさらに備える、Ｃ１に記載の方法。
［Ｃ６］
前記複数のダウンリンクサブフレームのうちの少なくとも１つの前記アップリンク周波数部分が、ガード帯域によってダウンリンク周波数部分から分離される、Ｃ５に記載の方法。
［Ｃ７］
前記ガード帯域に関係する１つまたは複数のパラメータを前記セルから受信することをさらに備える、Ｃ６に記載の方法。
［Ｃ８］
前記セルにチャネル状態情報（ＣＳＩ）フィードバックを送信するための前記複数のアップリンクサブフレームのうちの少なくとも１つを示す構成を前記セルから受信することをさらに備える、Ｃ１に記載の方法。
［Ｃ９］
前記セルにチャネル状態情報（ＣＳＩ）フィードバックを送信するための前記アップリンク周波数帯域における複数のサブフレームのうちの少なくとも１つを示す構成を前記セルから受信することと、
前記複数のサブフレームのうちの前記少なくとも１つが前記アップリンク周波数帯域における前記複数のダウンリンクサブフレームのうちの少なくとも１つである場合、前記ＣＳＩフィードバックを送信することを控えることと
をさらに備える、Ｃ１に記載の方法。
［Ｃ１０］
非周期タイムラインに従って前記セルにチャネル状態情報（ＣＳＩ）フィードバックを報告することと、
前記インジケータを受信することに少なくとも部分的に基づいて、基準ＴＤＤ構成に基づく異なる非周期タイムラインに従って前記セルに前記ＣＳＩフィードバックを報告することと
をさらに備える、Ｃ１に記載の方法。
［Ｃ１１］
システム情報ブロック（ＳＩＢ）において、または無線リソース制御（ＲＲＣ）シグナリングを介して前記基準ＴＤＤ構成を受信することをさらに備える、Ｃ１０に記載の方法。
［Ｃ１２］
前記複数のダウンリンクサブフレームを使用して通信することと、前記複数のアップリンクサブフレームを使用して通信することとの間で切り替えるための切替えガード期間の構成を前記セルから受信することをさらに備える、Ｃ１に記載の方法。
［Ｃ１３］
ワイヤレス通信におけるフレキシブル複信を与えるための装置であって、
少なくとも１つのプロセッサと、
前記少なくとも１つのプロセッサと通信可能に結合されたメモリと
を備え、
ここにおいて、前記少なくとも１つのプロセッサが、
セルとのアップリンク周波数帯域とダウンリンク周波数帯域とを分離するために、周波数分割複信（ＦＤＤ）を使用して前記セルと通信することと、
前記アップリンク周波数帯域上で時分割複信（ＴＤＤ）を実装するためのインジケータを前記セルから受信することと、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信することと
を行うように構成された、
装置。
［Ｃ１４］
前記少なくとも１つのプロセッサが、前記ダウンリンク周波数帯域上で前記セルによって送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、前記セルから前記インジケータを受信するように構成された、Ｃ１３に記載の装置。
［Ｃ１５］
前記少なくとも１つのプロセッサが、前記アップリンク周波数帯域において前記セルに肯定応答（ＡＣＫ）／否定ＡＣＫ（ＮＡＣＫ）を送信するための前記複数のアップリンクサブフレームのうちの少なくとも１つを示す基準ＴＤＤ構成を前記セルから受信するようにさらに構成された、Ｃ１３に記載の装置。
［Ｃ１６］
前記少なくとも１つのプロセッサが、前記複数のダウンリンクサブフレームのうちの少なくとも１つのアップリンク周波数部分上で前記アップリンク周波数帯域において制御データを送信するようにさらに構成された、Ｃ１３に記載の装置。
［Ｃ１７］
前記少なくとも１つのプロセッサが、前記セルにチャネル状態情報（ＣＳＩ）フィードバックを送信するための前記複数のアップリンクサブフレームのうちの少なくとも１つを示す構成を前記セルから受信するようにさらに構成された、Ｃ１３に記載の装置。
［Ｃ１８］
前記少なくとも１つのプロセッサは、
前記セルにチャネル状態情報（ＣＳＩ）フィードバックを送信するための前記アップリンク周波数帯域における複数のサブフレームのうちの少なくとも１つを示す構成を前記セルから受信することと、
前記複数のサブフレームのうちの前記少なくとも１つが前記アップリンク周波数帯域における前記複数のダウンリンクサブフレームのうちの少なくとも１つである場合、前記ＣＳＩフィードバックを送信することを控えることと
を行うようにさらに構成された、Ｃ１３に記載の装置。
［Ｃ１９］
ワイヤレス通信におけるフレキシブル複信を与えるための装置であって、
セルとのアップリンク周波数帯域とダウンリンク周波数帯域とを分離するために、周波数分割複信（ＦＤＤ）を使用して前記セルと通信するための手段と、
前記アップリンク周波数帯域上で時分割複信（ＴＤＤ）を実装するためのインジケータを前記セルから受信するための手段と、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信するための手段と
を備える、装置。
［Ｃ２０］
前記インジケータを受信するための前記手段が、前記ダウンリンク周波数帯域上で前記セルによって送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、前記セルから前記インジケータを受信する、Ｃ１９に記載の装置。
【図１】
0006695891.tif 000002
【図２】
0006695891.tif 000003
【図３】
0006695891.tif 000004
【図４】
0006695891.tif 000005
【図５】
0006695891.tif 000006
【図６】
0006695891.tif 000007
【図７】
0006695891.tif 000008
【図８】
0006695891.tif 000009
【図９】
0006695891.tif 000010
【図１０】
0006695891.tif 000011